(57)【要約】【課題】料理番組で放送された料理を調理中に、レシピ表などを確認したい場合が生じるが、調理手順すべてを表示させると表示画面を見るのが煩わしく、また表示させるデータが複雑、かつ大容量となる。また、料理番組は台所以外で見る場合が多く、料理番組をキッチンテレビで見ながら画像を格納する作業は非現実的である。【解決手段】居間３のテレビ３１で料理番組を見ながら、リモコン４の録画ボタンを押すと、居間テレビ３１で見ているチャンネルデータと共に録画信号がキッチンテレビ２に送信され、キッチンテレビ２は受信したチャンネルにチューナを選局し、かつ録画信号を受信した時点の画像を本体２１内に格納して、後に表示部２２で表示できるようにした。【選択図】  図１
2007129309.tif 000002
【特許請求の範囲】
【請求項１】
少なくとも調理中に鑑賞することができるように台所に設置されるキッチンテレビであって、操作を無線式のリモコンで行うものにおいて、上記リモコンは台所以外の別室に設置された他のテレビを操作する機能を備えると共に、録画スイッチが設置されており、他のテレビを操作している状態で録画スイッチが操作されると、他のテレビのチャンネルデータと共に録画開始信号を送信する録画信号送信手段を内蔵し、キッチンテレビには、録画開始信号を受信するとチャンネルデータのチャンネルに同調して、そのチャンネルの映像を記憶する記憶手段が内蔵されたことを特徴とする無線リモコン式キッチンテレビ。
【請求項２】
上記リモコンには、キッチンテレビの操作と他のテレビの操作とを兼用して行うための兼用スイッチが設けられており、その兼用スイッチがキッチンテレビの操作用として機能するキッチンテレビモードと他のテレビの操作用として機能する他のテレビモードとのいずれかに切替自在のモード切替手段を内蔵し、さらにいずれのモードに切り替えられているかを表示する表示部を備えたことを特徴とする請求項１に記載の無線リモコン式キッチンテレビ。
【請求項３】
少なくとも調理中に鑑賞することができるように台所に設置されるキッチンテレビであって、操作を無線式の専用リモコンで行うものにおいて、上記専用リモコンは台所以外の別室に設置された他のテレビを操作する他のリモコンから射出される赤外線信号を受光し、チャンネルデータを読み取って記憶する記憶手段と、録画スイッチとが設置されており、さらに、録画スイッチが操作されると記憶手段に記憶されているチャンネルデータと共に録画開始信号を送信する録画信号送信手段を内蔵し、キッチンテレビには、録画開始信号を受信するとチャンネルデータのチャンネルに同調して、そのチャンネルの映像を記憶する記憶手段が内蔵されたことを特徴とする無線リモコン式キッチンテレビ。
【請求項４】
上記専用リモコンには、専用リモコンの電源投入時から所定時間が経過すると専用リモコンの電源をオフにするオフタイマ手段が内蔵されており、さらに上記記憶手段に記憶されたチャンネルデータを表示する表示部を備えたことを特徴とする請求項３に記載の無線リモコン式キッチンテレビ。
【請求項５】
上記表示部は、電力を供給しない状態でも表示状態を保持することのできるものであることを特徴とする請求項２または請求項４に記載の無線リモコン式キッチンテレビ。
【請求項６】
上記キッチンテレビは、キッチンテレビに対して取り外し自在の記憶部材との間で画像データの読み込み及び書き出しを行うことを特徴とする請求項１から請求項５のいずれかに記載の無線リモコン式キッチンテレビ。
【発明の詳細な説明】
【技術分野】
【０００１】
本発明は、台所に設置され、調理中などにテレビ画像を鑑賞することのできる無線リモコン式キッチンテレビに関する。
【背景技術】
【０００２】
従来のこの種のキッチンテレビとして、台所の上部収納庫の底板にキッチンテレビを取り付け、調理中などに台所内でテレビ放送を鑑賞することができるようにしたものが知られている（例えば、特許文献１参照）。
【０００３】
一方、調理中に調理手順を確認することができるように料理手順をモニタに表示させるものが知られており、そのモニタとしてキッチンテレビの画面を利用するものが知られている（例えば、特許文献２参照）。
【０００４】
この料理手順を表示させるものでは、１種類の料理について最初から最後までの手順を記憶する記憶手段が設けられており、料理の手順の進行に合わせて表示される料理手順を自動的に切り替え、あるいは手動操作により表示される料理手順を切り替えるように構成されている。
【特許文献１】特開２００４−２４１９１９号公報（図１）
【特許文献２】特開平５-３３２５６２号公報（図３）
【発明の開示】
【発明が解決しようとする課題】
【０００５】
上記特許文献２に記載のものでは、１種類の料理について料理手順を最初から最後まで記憶手段に記憶させているため記憶させるデータの容量が大きくなり、複数種類の料理手順を記憶させるためには大容量の記憶手段を用いなければならない。また、記憶させる調理手順のデータは特許文献２に記載の装置の専用であるため、必ずしも使用者が希望する種類の調理手順を入手できるとは限らない。
【０００６】
さらに、実際に調理する際には予め手順を考えてから調理を開始するものであり、調理手順を最初から表示させることは不要であるばかりか、表示を見ることに注意が奪われ、かえって調理の邪魔になるという不都合が生じる。
【０００７】
そこで本発明は、上記の問題点に鑑み、このような従来の装置の有する不具合を解消することのできる無線リモコン式キッチンテレビを提供することを課題とする。
【課題を解決するための手段】
【０００８】
上記課題を解決するために本発明による第１の無線リモコン式キッチンテレビは、少なくとも調理中に鑑賞することができるように台所に設置されるキッチンテレビであって、操作を無線式のリモコンで行うものにおいて、上記リモコンは台所以外の別室に設置された他のテレビを操作する機能を備えると共に、録画スイッチが設置されており、他のテレビを操作している状態で録画スイッチが操作されると、他のテレビのチャンネルデータと共に録画開始信号を送信する録画信号送信手段を内蔵し、キッチンテレビには、録画開始信号を受信するとチャンネルデータのチャンネルに同調して、そのチャンネルの映像を記憶する記憶手段が内蔵されたことを特徴とする。
【０００９】
調理中に必要なデータは調理手順ではなく、どのような材料や調味料をどの程度使用するかを示したレシピ表である。このようなレシピ表はテレビの料理番組であればほとんどの場合、料理番組中に放送される。従って、その料理番組を見ながらレシピ表が表示された部分を記憶しておき、調理中にレシピ表を表示させれば十分である。一方、料理番組は調理を行っていない時間帯に放送され、居間などの台所とは異なる場所で視聴される。そこで、居間などに設置された他のテレビを視聴している状態で、他のテレビに表示された画像と同じものをキッチンテレビに記憶させ、その後の調理時に記憶させた画像を再生できるようにした。
【００１０】
なお、上記リモコンには、キッチンテレビの操作と他のテレビの操作とを兼用して行うための兼用スイッチが設けられており、その兼用スイッチがキッチンテレビの操作用として機能するキッチンテレビモードと他のテレビの操作用として機能する他のテレビモードとのいずれかに切替自在のモード切替手段を内蔵し、さらにいずれのモードに切り替えられているかを表示する表示部を備えさせてもよい。
【００１１】
また、上記課題を解決するために本発明による第２の無線リモコン式キッチンテレビは、少なくとも調理中に鑑賞することができるように台所に設置されるキッチンテレビであって、操作を無線式の専用リモコンで行うものにおいて、上記専用リモコンは台所以外の別室に設置された他のテレビを操作する他のリモコンから射出される赤外線信号を受光し、チャンネルデータを読み取って記憶する記憶手段と、録画スイッチとが設置されており、さらに、録画スイッチが操作されると記憶手段に記憶されているチャンネルデータと共に録画開始信号を送信する録画信号送信手段を内蔵し、キッチンテレビには、録画開始信号を受信するとチャンネルデータのチャンネルに同調して、そのチャンネルの映像を記憶する記憶手段が内蔵されたことを特徴とする。
【００１２】
上記第１の無線リモコン式キッチンテレビでは、キッチンテレビと他のテレビとを１つのリモコンで操作するようにしたが、第２の無線リモコン式キッチンテレビでは、他のテレビを操作する他のリモコンとは別途にキッチンテレビの操作を行う専用リモコンを用いて、キッチンテレビに画像を記憶させるようにした。
【００１３】
なお、上記専用リモコンには、専用リモコンの電源投入時から所定時間が経過すると専用リモコンの電源をオフにするオフタイマ手段が内蔵されており、さらに上記記憶手段に記憶されたチャンネルデータを表示する表示部を備えさせてもよい。
【００１４】
ところで、リモコンは電池を電源として駆動されるので、表示部を設けた場合、表示部での消費電力を極力小さくするため、上記表示部は、電力を供給しない状態でも表示状態を保持することのできるものであることが望ましい。
【００１５】
また、上記キッチンテレビは、キッチンテレビに対して取り外し自在の記憶部材との間で画像データの読み込み及び書き出しを行うように構成してもよい。
【発明の効果】
【００１６】
以上の説明から明らかなように、本発明は、テレビ番組として放送されている料理番組のうち、実際に調理に必要なレシピ表などを、台所以外に設置されたテレビを見ながらキッチンテレビに記憶させることができるので、従来のものより実際の調理作業に即した調理補助効果を得ることができる。
【発明を実施するための最良の形態】
【００１７】
図１を参照して、１は台所であり、この台所１には上部収納庫１１が設置されている。そして、上部収納庫１１の下面にはキッチンテレビ２が取り付けられている。このキッチンテレビ２は箱形の本体２１と、この本体２１の下面に垂設されたモニタ部２２とから構成されている。このモニタ部２２は水平方向に回動することができ、さらに液晶画面が臨む前面を上にして本体２１の下面にその前面が対向する状態になるよう、跳ね上げることができるように取り付けられている。
【００１８】
このキッチンテレビ２の操作はモニタ部２２の前面に取り付けた各種のスイッチによっても行うことができるが、無線式のリモコン４によってもキッチンテレビ２の操作を行うことができる。このリモコン４からキッチンテレビ２への通信は赤外線ではなく電波によって行うように構成されている。従って、台所１以外の、例えば居間３にリモコン４を移動させてもリモコン４から発信される電波をキッチンテレビ２で受信することができる。
【００１９】
このリモコン４は居間３に設置された他のテレビである居間テレビ３１の操作を行うことができる。すなわち、１つのリモコン４でキッチンテレビ２と居間テレビ３１との２つのテレビの操作を兼用して行うことができる。
【００２０】
図２を参照して、リモコン４内にはコントロール部４１が内蔵されており、切替スイッチ４２が押し操作されると、コントロール部４１は、キッチンテレビ２の操作を行うリモコンとして機能する台所テレビモードと、居間テレビ３１の操作を行うリモコンとして機能する居間テレビモードとに交互に切り替えられる。
【００２１】
居間テレビモードに切り替えられている状態でチャンネルを選択するスイッチが操作されると、選択されたチャンネルデータはコントロール部４１内に一時的に記憶されると共に、赤外線発光ダイオード４３が点灯して居間テレビ３１へと赤外線信号が射出される。
【００２２】
なお、コントロール部４１内には予め各テレビメーカが採用する信号コードがＲＯＭなどに記憶されており、初期設置時に居間テレビ３１のメーカに合わせて信号コードを選択し設定しておく。
【００２３】
ところで、選択されたチャンネルデータがコントロール部４１に一時的に記憶されると同時に、コントロール部４１はそのチャンネルデータを表示部４４に表示させる。この表示部４４は電子粉粒体を用いたもので、いわゆる電子ペーパーと呼ばれる表示部材と同様に、表示内容を変更する際には電力を必要とするが、その後電力の供給を停止しても表示された内容を保持し続けるものである。リモコン４の電源は図示しない乾電池によってまかなわれるため、表示部４４の表示内容を保持するために電力を必要としないので乾電池の電力消費を低減させることができる。
【００２４】
リモコン４には録画スイッチ４５が設けられている。この録画スイッチ４５が押し操作されると、コントロール部４１は一時的に記憶しているチャンネルデータとともに録画信号を電波に重畳して内蔵アンテナ４６から発信する。発信された電波は上述のようにキッチンテレビ２で受信される。キッチンテレビ２はチャンネルデータを受信すると、本体２１に内蔵されているチューナを、受信したチャンネルデータと同じチャンネルに同調させる。そして、録画信号の受信によって、本体２１内の記憶手段に同調されたチャンネルのテレビ画像を取り込んで記憶する。なお、取り込む画面データは録画信号を受信した時点の静止画像であるが、録画信号を受信した時点から所定時間の間にわたる動画データであってもよい。
【００２５】
キッチンテレビ２には、所定の操作をすると記憶されている静止画もしくは動画データをモニタ部２２の液晶画面に再生させて表示する機能が備えられている。
【００２６】
以上の構成で、図３を参照して、リモコン４内の制御フローを説明する。上記切替スイッチ４２が押し操作されモードの切替が行われると（Ｓ１０１）、切り替えられた作動モードを判断して、居間テレビモードか、居間テレビモード以外、すなわち台所テレビモード以外の台所テレビモードかのいずれかに切り替えられる（Ｓ１０２，Ｓ１０３，Ｓ１０８）。なお、居間テレビモードが選択されると（Ｓ１０３）、キッチンテレビ２に対して受信待機信号が送信される。キッチンテレビ２がこの受信待機信号を受信すると、チューナを含めた電子回路に電源が投入され、すぐに画像データを取り込むことが可能な状態になる。ただし、表示部２２の液晶画面には通電されず、従って受信待機信号を受信しても画像は表示されない。
【００２７】
モードが切り替えられると、切り替えられたモードが表示部４４に表示される（Ｓ１０４，Ｓ１０９）。居間テレビモードが選択された場合には、録画スイッチ４５が押されるまで待機する（Ｓ１０５）。ただし、この待機中にモードが切り替えられると、上記のステップＳ１０２に戻って台所テレビモード（Ｓ１０８）に切り替わる。また、録画スイッチ４５が押されると、上述のようにチャンネルデータと共に録画信号がアンテナ４６から発信される（Ｓ１０５，Ｓ１０７）。キッチンテレビ２がチャンネルデータを受信すると、キッチンテレビ２のチャンネルがチャンネルデータのチャンネルに一致するように選局される。そして、キッチンテレビ２が録画信号を受信すると、チューナで選局されているチャンネルの画像を画像データとして内部メモリに取り込む。
【００２８】
一方、台所テレビがモードが選択された状態では、リモコン４はキッチンテレビ２の操作に用いられるが、その状態でも録画スイッチ４５が押されればキッチンテレビ２に表示されている画像が内部メモリに取り込まれると共に（Ｓ１１０，Ｓ１１２）、途中でモードが切り替えられると（Ｓ１１１）、ステップＳ１０２に戻って居間テレビモードに切り替えられる。
【００２９】
なお、上述のように、リモコン４に設けられたスイッチのうち、チャンネル選択用のスイッチや音量の増減用のスイッチなどは、キッチンテレビ２及び居間テレビ３１のいずれの操作の際にも兼用して使用されるが、その際に選択されているモードのテレビの操作に択一的に使用される。
【００３０】
但し、居間テレビモードが選択されている状態でチャンネルが選択された場合に、コントロール部４１内に一時的に記憶させるのではなく、その都度アンテナ４６からチャンネルデータのみを送信して、キッチンテレビ２の選局状態が居間テレビ３１の選局状態と常に一致するようにし、録画スイッチ４５が押された場合には、録画信号のみを送信するように構成してもよい。
【００３１】
次に図４を参照して、第２の実施の形態について説明する。本実施の形態では、居間テレビ３１の操作は居間テレビ３１に付属している居間テレビ用のリモコン３２で行い、キッチンテレビ２の操作はキッチンテレビ専用のリモコン５で行う。
【００３２】
図５を参照して、リモコン５には赤外線受光部５３が設けられており、リモコン３２から照射された赤外線をこの赤外線受光部５３で受光し、チャンネルデータを分離してコントロール部５１に一時的に記憶するように構成されている。スタンバイスイッチ５２が設けられており、このスタンバイスイッチ５２が押し操作されると予め設定されている所定時間、例えば３０分程度のタイマが作動し、その所定時間の間、リモコン５の電源が投入され、所定時間経過後に自動的にリモコン５の電源がオフになるように構成されている。５４は上述の表示部４４と同じく電子粉粒体を用いた自己保持型のものである。また、５５は録画ボタンであり、５６はアンテナである。
【００３３】
図６を参照して、スタンバイスイッチ５２がオンされると、タイマがスタートすると共に電源が投入された旨の表示が表示部５４に表示される（Ｓ２０１，Ｓ２０２，Ｓ２０３）。タイマがタイムアップすると表示部５４の表示が消された後電源がオフにされる（Ｓ２０４，Ｓ２０５，Ｓ２０６）。電源がオフになるまでは、赤外線受光部５３からのチャンネル信号の受信を待機している（Ｓ２０７）。また、タイマーが作動すると同時にキッチンテレビ２に受信待機信号が送信され、録画信号を受信すれば直ちに画像信号を取り込める待機状態になると共に、タイムアップすると、キッチンテレビ２に待機終了信号を送信して待機状態を解除するようにした。
【００３４】
リモコン３２が操作されてチャンネル信号を受信するとチャンネルデータを一時的に格納し、さらに受信したチャンネルデータのチャンネルを表示部５４に表示させる（Ｓ２０８，Ｓ２０９）。その後録画スイッチ５５が押されるまでの間にチャンネルデータの更新の有無を監視し（Ｓ２１２）、チャンネルデータが更新された場合には、格納されているチャンネルデータを更新する。
【００３５】
一方、チャンネルデータの更新を監視している状態でタイムアップした場合には電源をオフにする。ここで、Ｓ２１３に示したタイムアップ処理とは上記のＳ２０４，Ｓ２０５，Ｓ２０６に示した一連の処理を言う。
【００３６】
そして録画ボタンが押されると、アンテナ５６からチャンネルデータと録画信号が重畳された電波を発信するようにした。なお、本実施の形態でも、チャンネルデータを受信するとその都度チャンネルデータをキッチンテレビ２に送信し、録画ボタン５５が押された場合には、録画信号のみを送信するようにしてもよい。
【００３７】
いずれにせよ、録画信号を受信したキッチンテレビは、受信したチャンネル信号のチャンネルの静止画像もしくは所定時間の動画を格納する。この格納した画像は上述のように、所定の操作によってモニタ部２２に表示される。例えば料理番組の途中で表示されるレシピ表を格納しておけば、調理中にレシピ表をモニタ部２２に表示させた状態で調理を行うことができる。
【００３８】
そして、キッチンテレビ２内に格納された画像データは、図７に示すように、本体２１に設けたスロット２３に対して着脱自在のフラッシュメモリ６に書き込み、パソコンなどで保管、管理をするようにした。なお、過去に格納した画像データであって、パソコンなどで保管されていたものをフラッシュメモリ６を介して本体２１内に記憶させて表示部２２に表示させることも可能である。
【００３９】
なお、本発明は上記した形態に限定されるものではなく、本発明の要旨を逸脱しない範囲内において種々の変更を加えてもかまわない。
【図面の簡単な説明】
【００４０】
【図１】本発明の一実施の形態の構成を示す図
【図２】リモコンの構造を示すブロック図
【図３】リモコン内での制御を示すフロー図
【図４】第２の実施の形態の構成を示す図
【図５】第２の実施の形態でのリモコンの構成を示すブロック図
【図６】第２の実施の形態でのリモコンのフロー図
【図７】キッチンテレビの本体の一部分を示す図
【符号の説明】
【００４１】
１  台所
２  キッチンテレビ
３  居間
３１  居間テレビ
４  リモコン
５  リモコン
６  フラッシュメモリ
【図１】
2007129309.tif 000003
【図２】
2007129309.tif 000004
【図３】
2007129309.tif 000005
【図４】
2007129309.tif 000006
【図５】
2007129309.tif 000007
【図６】
2007129309.tif 000008
【図７】
2007129309.tif 000009
【手続補正書】
【提出日】平成17年11月1日(2005.11.1)
【手続補正１】
【補正対象書類名】図面
【補正対象項目名】図１
【補正方法】変更
【補正の内容】
【図１】
2007129309.tif 000010